(57)【要約】【課題】簡単な操作で番組の進行状況に応じて放送時間延長処理を柔軟に実行し得る放送番組送出システムを提供する。【解決手段】１パターンの編成データをデータサーバ１２に１度登録しておき、操作端末１４により自動延長モード指示を１度入力するだけで、ＡＰＣ１３にて次番組の開始時間からｎ分前になるごとに自動延長指示をデータサーバ１２に送り、データサーバ１２にて編成データを放送中の番組の終了時間を一定時間延長した編成データに自動的に更新するようにしている。【選択図】      図４
2009159529.tif 000002
【特許請求の範囲】
【請求項１】
放送番組の素材データを送出する送出装置と、
番組別の放送開始時間から放送終了時間までを示す編成データに基づいて、前記送出装置の送出を制御する制御装置とを具備し、
前記制御装置は、自動延長指示入力に従って前記編成データに示される放送中の番組の放送終了時刻と、次以降の番組の放送開始時刻及び放送終了時刻を一定時間延長させた編成データに更新し、この更新した編成データに基づいて前記送出装置から該当する番組の素材データを送出させ、少なくとも放送中の番組の放送終了時刻より前に当該放送中の番組の放送終了時刻と、次以降の番組の放送開始時刻及び放送終了時刻を一定時間延長させた編成データに更新する自動延長機能を備えたことを特徴とする放送番組送出システム。
【請求項２】
前記制御装置は、前記編成データの自動更新が実行されている間に、自動延長終了指示が入力された場合に、前記編成データの自動更新を終了することを特徴とする請求項１記載の放送番組送出システム。
【請求項３】
前記制御装置は、前記編成データの自動更新を終了する予約時間が設定されているとき、前記編成データの自動更新が実行されている間に、前記予約時間を計時した時点で、前記編成データの自動更新を終了することを特徴とする請求項１記載の放送番組送出システム。
【請求項４】
前記放送中の番組の放送終了時刻と、次以降の番組の放送開始時刻及び放送終了時刻を延長させる時間は、任意に設定可能であることを特徴とする請求項１記載の放送番組送出システム。
【請求項５】
放送番組の素材データを送出する送出装置と、番組別の放送開始時間から放送終了時間までを示す編成データに基づいて、前記送出装置の送出を制御する制御装置とを備える放送番組送出システムに用いられ、
自動延長指示入力に従って前記編成データに示される放送中の番組の放送終了時刻と、次以降の番組の放送開始時刻及び放送終了時刻を一定時間延長させた編成データに更新する第１ステップと、
この更新した編成データに基づいて前記送出装置から該当する番組の素材データを送出させる第２ステップと、
少なくとも放送中の番組の終了時刻より前に当該放送中の番組の放送終了時刻と、次以降の番組の放送開始時刻及び放送終了時刻を一定時間延長させた編成データに更新する第３ステップとを備えたことを特徴とする放送番組送出システムの自動番組時間延長方法。
【発明の詳細な説明】
【技術分野】
【０００１】
この発明は、放送番組の素材データを送出する放送番組送出システムに係り、特に、編成データを変更するための自動番組時間延長方法に関する。
【背景技術】
【０００２】
放送運行業務において、プロ野球やサッカー番組など、当初予定していた番組終了時間を延長して放送する場合がある（マルチ運用）。この場合、運用者は、予定通りに番組が終了する場合、１５分延長する場合、３０分延長する場合など、複数のパターンの編成データを事前に作成し、番組の進行状況に合わせてパターンの選択・変更を行っている。
【０００３】
ところで、パターン数が多い場合には、事前の編成データの作成、および、確認が煩雑となり、運用者に負担を強いていた。また、システムが保持できるパターン数に上限があり、無限にパターンを生成することができない。
【０００４】
なお、放送サービスの番組の変更、時間延長、タイムシフト等の編成変更指示に対し、他の関連性のある複数のサービスに自動反映させる手法（例えば、特許文献１）、変更前と変更後との時刻差を入力するのみで、変更した時刻の番組制御を可能とする手法（例えば、特許文献２）も提案されている。
【特許文献１】特開２００４−１２０１１４公報
【特許文献２】特開平１１−３５５６７３公報。
【発明の開示】
【発明が解決しようとする課題】
【０００５】
しかしながら、いずれの手法も、複数のパターンを作成して保持しておかなければならず、オペレータの操作に委ねられることになる。このため、簡単な操作だけで、番組の進行状況に応じた放送時間延長処理を実行する手法が以前から強く望まれている。
【０００６】
そこで、この発明の目的は、簡単な操作で番組の進行状況に応じて放送時間延長処理を柔軟に実行し得る放送番組送出システムとその自動番組時間延長方法を提供することにある。
【課題を解決するための手段】
【０００７】
上記目的を達成するために、この発明に係る放送番組送出システムは、放送番組の素材データを送出する送出装置と、番組別の放送開始時間から放送終了時間までを示す編成データに基づいて、送出装置の送出を制御する制御装置とを具備し、制御装置は、編成データ変更指示入力に従って編成データに示される放送中の番組の放送終了時刻と、次以降の番組の放送開始時刻及び放送終了時刻を一定時間延長させた編成データに更新し、この更新した編成データに基づいて送出装置から該当する番組の素材データを送出させ、少なくとも放送中の番組の放送終了時刻より前に当該放送中の番組の放送終了時刻と、次以降の番組の放送開始時刻及び放送終了時刻を一定時間延長させた編成データに更新する自動延長機能を備えるようにしたものである。
【０００８】
この構成によれば、１パターンの編成データを１度登録すればよいことになり、編成データ変更指示を１度入力するだけで、放送中の番組の放送終了時刻より前に放送中の番組の放送終了時刻と、次以降の番組の放送開始時刻及び放送終了時刻が自動的に一定時間延長されることになる。このため、オペレータが番組を確認しながら一定時間延長した編成データを作成する必要がなく、これによりオペレータの負担を軽減することができる。
【０００９】
制御装置は、編成データの自動更新が実行されている間に、自動延長終了指示が入力された場合に、編成データの自動更新を終了することを特徴とする。
【００１０】
この構成によれば、オペレータが自身で番組を延長する必要があるか否かを判断して指示することができる。
【００１１】
制御装置は、編成データの自動更新を終了する予約時間が設定されているとき、編成データの自動更新が実行されている間に、予約時間を計時した時点で、編成データの自動更新を終了することを特徴とする。
【００１２】
この構成によれば、編成データの自動更新を終了する予約時間を予め設定しておくことで、オペレータが離席などして不在の場合であっても、予約時間を計時した時点で、番組の自動延長を自動的に終了させることが可能となる。
【００１３】
放送中の番組の放送終了時刻と、次以降の番組の放送開始時刻及び放送終了時刻を延長させる時間は、任意に設定可能であることを特徴とする。
【００１４】
この構成によれば、番組ごとに自動延長時間を異ならせることができる。これにより、例えば野球中継番組のように延長試合が長くなると予想される番組については、延長時間を長くしたり、またサッカー中継番組のＰＫ戦のように短いと予想される番組については、延長時間を短くする等、番組の内容に応じて最適な自動延長を行うことができる。
【発明の効果】
【００１５】
以上詳述したようにこの発明によれば、簡単な操作で番組の進行状況に応じて放送時間延長処理を柔軟に実行し得る放送番組送出システムとその自動番組時間延長方法を提供することができる。
【発明を実施するための最良の形態】
【００１６】
以下、この発明の実施形態について図面を参照して詳細に説明する。  
図１は、この発明に係る放送番組送出システムとその周辺構成を示すブロック図である。図１において、バス１１上に、データサーバ１２、ＡＰＣ（自動番組送出制御装置）１３、操作端末１４及び番組サーバ１５が接続される。また、バス１１上には、システム外部の営放システム１６が接続される。なお、データサーバ１２及びＡＰＣ１３は、本発明の制御装置を構成するものとする。
【００１７】
データサーバ１２には、営放システム１６にて予め放送番組用に制作された編成データが登録されている。編成データは、例えば１週間分の番組情報を含んでいる。各番組情報はそれぞれ複数の情報要素により表される。情報要素としては、図２に示すように、番組開始予定時刻、番組継続予定時刻及び番組名称がある。
【００１８】
放送番組用の素材データは、番組サーバ１５に送られる。番組サーバ１５は、放送番組用の素材データを格納しておくもので、バス１１を通じてＡＰＣ１３から与えられるオンエア指示信号に応じて、該当する番組の素材データを選択的に再生する。なお、番組サーバ１５は、本発明の送出装置を構成するものとする。
【００１９】
ＡＰＣ１３は、データサーバ１２から送られる編成データに基づいて、番組サーバ１５に収録される素材データの中から放送番組に必要な素材データを再生させる。また、ＡＰＣ１３は、素材データの送り元（図示せず）に該当する素材データを再生させる制御も実行している。
【００２０】
一方、データサーバ１２は、操作端末１４からの操作入力指示に従い、番組の放送時間を延長させるべく編成データの変更制御を行うものであるが、このデータサーバ１２は、特にこの発明に係る自動番組時間延長機能を搭載する。
【００２１】
上記構成において、以下に上記自動番組時間延長機能の処理について説明する。  
図３は、以前に実施されている方式のマルチ運用を示している。
【００２２】
このマルチ運用は次の通りとなる。  
（１）営放システム１６で事前に各延長パターンの編成データを作成する。  
（２）番組進行状況に合わせて、データサーバ１２でパターン選択を行い、選択されたパターンに合わせて、マルチ番組の編成データを変更、以降の番組の開始・終了時間のシフトをＡＰＣ１３に指示する。  
（３）ＡＰＣ１３は指示に従って、周辺装置を制御する。
【００２３】
ここでは、営放システム１６において、事前の編成データ作成量が膨大になり、運用者の作成、確認作業の負担が大きくなる。
【００２４】
そこで、この実施形態では、図４に示す方式で、マルチ運用を実行するようにしている。マルチ運用は、次の通りとなる。
【００２５】
（１）営放システム１６において、定時パターンの編成データを作成する。  
（２）ＡＰＣ１３は次番組のｎ（ｎは自然数）分前に自動延長指示をデータサーバ１２に通知する。  
（３）データサーバ１２はＡＰＣ１３からの指示に従い、マルチ番組の番組終了時間の変更、以降の番組の番組開始・終了時間のシフトをＡＰＣ１３に指示。
【００２６】
（４）ＡＰＣ１３は指示に従って周辺機器を制御。
【００２７】
図５は、データサーバ１２に搭載される自動番組時間延長機能の処理手順を示すフローチャートである。まず、データサーバ１２は、操作端末１４からの自動延長モード指示入力を判断し（ステップＳＴ５ａ）、指示入力があった場合には、自動延長モードの旨をＡＰＣ１３に通知する（ステップＳＴ５ｂ）。
【００２８】
そして、自動延長モードとなる期間に、データサーバ１２は、操作端末１４からの自動延長モードの終了指示入力を判断し（ステップＳＴ５ｃ）、指示入力がなければ（Ｎｏ）、ＡＰＣ１３からの自動延長指示を判断し（ステップＳＴ５ｄ）、指示があった場合に（Ｙｅｓ）、登録済みの編成データの放送中の番組の終了時間を一定時間延長させるように編成データを変更し（ステップＳＴ５ｅ）、放送中の番組の番組終了時間の変更、以降の番組の番組開始・終了時間のシフトをＡＰＣ１３に指示する（ステップＳＴ５ｇ）。ここでは、ＡＰＣ１３から自動延長指示が送られるごとに１５分づつ延長するものとする。
【００２９】
そして、データサーバ１２は、ステップＳＴ５ｃ、ステップＳＴ５ｄ、ステップＳＴ５ｅ及びステップＳＴ５ｇの自動延長処理を終了指示が入力されるまで繰り返し実行し、操作端末１４から終了指示入力があった時点で、自動延長モードを解除し（ステップＳＴ５ｆ）、自動延長処理を終了する。
【００３０】
なお、上記自動番組時間延長機能において、自動延長を終了する予約時間をデータサーバ１２に内蔵されるタイマ（図示せず）に予め設定しておくようにしてもよい。このようにすれば、オペレータが離席などして不在の場合であっても、タイマが予約時間を計時した時点で、マルチ番組の自動延長モードを自動的に解除させることができる。
【００３１】
また、上記の例では、１５分づつ延長する例について説明したが、例えば、サッカー試合のように、ＰＫ戦で勝負をつける場合には、例えば５分づつ延長するように自動延長時間を可変に設定できる。
【００３２】
以上のように上記実施形態では、１パターンの編成データをデータサーバ１２に１度登録しておき、操作端末１４により自動延長モード指示を１度入力するだけで、ＡＰＣ１３にて次番組の開始時間からｎ分前になるごとに自動延長指示をデータサーバ１２に送り、データサーバ１２にて編成データを放送中の番組の終了時間を一定時間延長した編成データに自動的に更新するようにしている。
【００３３】
従って、運用者が番組を確認しながら一定時間延長した編成データを一から作成する必要がなく、これにより運用者の負担を軽減することができる。また、運用者は自身で番組を延長する必要があるか否かを判断して操作端末１４を用いてデータサーバ１２に対し自動延長モードを解除することができる。
【００３４】
さらに、自動延長モードにしている間、終了指示が入力されるまで、無限に延長することが可能となる。
【００３５】
また、上記実施形態では、自動延長を終了する予約時間をデータサーバ１２のタイマに予め設定しておくこともできるので、オペレータが離席などして不在の場合であっても、タイマが予約時間を計時した時点で、番組の自動延長モードを自動的に解除させることができる。
【００３６】
さらに、上記実施形態では、放送中の番組の放送終了時刻と、次以降の番組の放送開始時刻及び放送終了時刻を延長させる時間は、任意に設定可能であるので、番組ごとに自動延長時間を異ならせることができる。これにより、例えば野球中継番組のように延長試合が長くなると予想される番組については、延長時間を長くしたり、またサッカー中継番組のＰＫ戦のように短いと予想される番組については、延長時間を短くする等、番組の内容に応じて最適な自動延長を行うことができる。
【００３７】
なお、この発明は上記実施形態に限定されるものではなく、例えば番組サーバが複数ある場合でも同様に実施可能である。その他、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３８】
【図１】この発明に係る放送番組送出システムとその周辺構成を示すブロック図。
【図２】同実施形態における編成データのデータ構造の一例を示す図。
【図３】以前のマルチ運用を説明するために示すブロック図。
【図４】同実施形態におけるマルチ運用を説明するために示すブロック図。
【図５】同実施形態の自動番組時間延長機能の処理手順を示すフローチャート。
【符号の説明】
【００３９】
１１…バス、１２…データサーバ、１３…ＡＰＣ、１４…操作端末、１５…番組サーバ、１６…営放システム。
【図１】
2009159529.tif 000003
【図２】
2009159529.tif 000004
【図３】
2009159529.tif 000005
【図４】
2009159529.tif 000006
【図５】
2009159529.tif 000007